(57)【要約】【課題】従来の映像表示装置は、部屋の明るさを適正に反映した制御ができなかったため、実際の部屋の明るさとかけ離れた画面の明るさの状態にしてしまい、視聴者にとって見づらい画面になってしまうという問題があった。【解決手段】複数の周囲照度を検知する周囲照度センサ２と、複数の周囲照度センサの出力に基づき画面輝度を調整する画面輝度調整手段５を有する映像表示装置１において、映像表示装置の周囲照度を検出可能に画面の周辺に分散して複数個設けられた周囲照度センサ２と、複数の前記周囲照度センサ２の出力に基づき、周囲照度を反映した周囲照度センサを判別する有効周囲照度センサ判別手段４と、有効周囲照度センサ判別手段４で周囲照度を反映していると判別された周囲照度センサの出力に基づき画面の明るさを調整する画面輝度調整手段５を備えたことを特徴とする映像表示装置。【選択図】図１
2007310096.tif 000002
【特許請求の範囲】
【請求項１】
周囲照度を検知する複数の周囲照度センサと、前記複数の周囲照度センサの出力に基づき画面輝度を調整する画面輝度調整手段を有する映像表示装置において、
前記映像表示装置の周囲照度を検出可能に画面の周辺に分散して複数個設けられた前記周囲照度センサと、
前記複数の周囲照度センサの出力に基づき、周囲照度を反映した周囲照度センサを判別する有効周囲照度センサ判別手段と、
前記有効周囲照度センサ判別手段で周囲照度を反映していると判別された周囲照度センサの出力に基づき画面の明るさを調整する前記画面輝度調整手段を備えたことを特徴とする映像表示装置。
【請求項２】
周囲照度を反映した前記周囲照度センサの前記判別は、多数決により行なわれることを特徴とする請求項１に記載の映像表示装置。
【請求項３】
周囲照度を反映した前記周囲照度センサの前記判別は、前記周囲照度センサの出力を複数の範囲に区分して、該区分に属する前記周囲照度センサの個数に基づき行われることを特徴とする請求項１又は請求項２に記載の映像表示装置。
【請求項４】
前記周囲照度センサの個数が最も多く区分された前記区分に属する前記周囲照度センサの出力を有効と判断することを特徴とする請求項３に記載の映像表示装置。
【請求項５】
前記有効周囲照度センサ判別手段は、
一時的な周囲照度の変化のない状態の周囲照度を、複数備わる前記周囲照度センサの各周囲照度センサ毎に取得する手段と、
前記取得された周囲照度の値から周囲照度を反映しない無効な周囲照度センサを選別し、該無効な周囲照度センサを除外する無効周囲照度センサ除外手段を備え、
前記画面輝度調整手段は、
前記無効周囲照度センサ除外手段により除外された残りの周囲照度センサの出力に基づき周囲照度の平均値を演算する演算手段と、
前記演算手段により演算された平均値に基づき画面の輝度を調整する輝度調節手段を備えたことを特徴とする請求項１乃至請求項４のいずれか一項に記載の映像表示装置。
【請求項６】
複数の周囲照度を検知して画面輝度を調整する機能を有する映像表示装置の映像輝度調整方法において、
前記映像表示装置の周囲照度を検出可能に画面の周辺に分散して周囲照度センサを複数個設け、
複数の前記周囲照度センサの出力に基づき、周囲照度を反映した周囲照度センサを判別し、
周囲照度を反映していると判別された周囲照度センサの出力に基づき画面の明るさを調整することを特徴とする映像輝度調整方法。
【請求項７】
周囲照度を反映した周囲照度センサの前記判別は、多数決により行なわれることを特徴とする請求項６に記載の映像輝度調整方法。
【請求項８】
周囲照度を反映した前記周囲照度センサの前記判別は、前記周囲照度センサの出力を複数の範囲に区分して、該区分に属する前記周囲照度センサの個数に基づき行われることを特徴とする請求項６又は請求項７に記載の映像輝度調整方法。
【請求項９】
前記周囲照度センサの個数が最も多く区分された前記区分に属する前記周囲照度センサの出力を有効と判断することを特徴とする請求項８に記載の映像輝度調整方法。
【請求項１０】
一時的な周囲照度の変化のない状態の周囲照度を複数備わる前記周囲照度センサの各周囲照度センサ毎に取得し、
前記取得された周囲照度の値から、周囲照度を適切に反映していないと考えられる無効なフォトセンサを選別し、
該無効なフォトセンサからの出力を除外するように周囲照度の演算工程を組み換え、
他の有効なフォトセンサの出力のみを使用して周囲照度を演算することを特徴とする請求項６乃至請求項９のいずれか一項に記載の映像輝度調整方法。
【発明の詳細な説明】
【技術分野】
【０００１】
本発明は、映像表示装置、及びその表示輝度調整方法に係り、特に、複数の周囲照度センサを用いて周囲の照度に合わせて表示画面の明るさを最適な状態に調整することのできる映像表示装置、及びその表示輝度調整方法に関する。
【背景技術】
【０００２】
テレビ画面などの映像表示器で映像を鑑賞する際の画面の明るさは、周囲の明るさによって見やすい最適値が変化する。例えば周囲が暗いときには、画面を暗くしたほうが見やすい。また、明るい部屋で見るときは、画面を明るくしないと見にくい。このような状況に対応するため、従来、周囲の明るさに応じて画面の明るさを自動調節することが行われている。
【０００３】
特許文献１（特開平２−１４１７９６号公報）に開示された従来技術はその一例である。特許文献１によれば、周囲照度を検出するため、複数の周囲照度センサを設け、この複数の周囲照度センサから出力される輝度制御信号のうち、最も明るい周囲照度センサの輝度制御信号を選択して制御することにより、大型の表示装置において、周囲が最も明るい部分でも発光形の表示部の表示が周囲の明るさにより見にくくならないようにしている。
【０００４】
また、特許文献２（特開２０００−９８９９１号公報）に開示された従来技術は他の一例である。特許文献２によれば、周囲照度を検出するため、周囲照度センサをディスプレイ画面の周辺枠上に分散して複数個設け、これら複数個の周囲照度センサの出力の平均値を用いてディスプレイ画面の輝度コントラストの制御を行うようにしている。
【０００５】
図７は周囲照度センサをディスプレイ画面の周辺枠上に分散して複数個設けた映像表示装置の一例を示したものである。図７において、１は映像表示装置、２−１〜２−５は周囲照度センサ、６は映像表示部を示している。
【特許文献１】特開平２−１４１７９６号公報
【特許文献２】特開２０００−９８９９１号公報
【発明の開示】
【発明が解決しようとする課題】
【０００６】
図８、図９は、図７のようにディスプレイ画面の周辺枠上に複数の周囲照度センサを設けた、特許文献１、特許文献２に開示された上記従来技術の問題点を説明する図である。
【０００７】
図８において、９は周囲照度センサ２−５に当たった何らかの周囲光、例えば、暗い部屋で映画を鑑賞しているとき、たまたまドアを少し開けたときに、その隙間から漏れた一時的な外部光を示している。１０は部屋の周囲照度レベルを明暗で表したものである。この場合、部屋は暗い状態にある。このような状態に有るとき、特許文献１の技術によれば、複数の周囲照度センサのうち最も周囲の明るい周囲照度センサの出力により画面の明るさが決定されるので、図８に示したように部屋全体の周囲照度に比べかなり明るい画面になってしまう。このような状態は視聴者にとって見づらい画面の状態である。
【０００８】
また、図９において、７は、周囲照度センサ２−４、２−５に何らかの影がさした状態を示している。８は部屋の周囲照度レベルを明暗で表したものである。この場合、部屋は暗い状態にある。このような状態に有るとき、特許文献２の技術によれば、複数の周囲照度センサの平均化した出力により画面の明るさが決定されるので、図９に示したように部屋全体の周囲照度に比べ暗い画面になってしまう。このような状態は視聴者にとって見づらい画面の状態である。
【０００９】
このように、上記従来技術は、部屋の明るさを適正に反映した制御ができなかったため、実際の部屋の明るさとかけ離れた画面の明るさの状態にしてしまい、視聴者にとって見づらい画面になってしまうという問題があった。
【００１０】
本発明の目的は、上記問題点に鑑み、周囲照度を適正に反映して画面の明るさを調整し、周囲照度の変化に適正に対応した見やすい画面とすることのできる映像表示装置、及びその表示輝度調整方法を提供することにある。
【課題を解決するための手段】
【００１１】
本発明の請求項１に係る発明の要旨は、周囲照度を検知する複数の周囲照度センサと、前記複数の周囲照度センサの出力に基づき画面輝度を調整する画面輝度調整手段を有する映像表示装置において、前記映像表示装置の周囲照度を検出可能に画面の周辺に分散して複数個設けられた前記周囲照度センサと、前記複数の周囲照度センサの出力に基づき、周囲照度を反映した周囲照度センサを判別する有効周囲照度センサ判別手段と、前記有効周囲照度センサ判別手段で周囲照度を反映していると判別された周囲照度センサの出力に基づき画面の明るさを調整する前記画面輝度調整手段を備えたことを特徴とする映像表示装置に存する。
また、本発明の請求項２に係る発明の要旨は、周囲照度を反映した前記周囲照度センサの前記判別は、多数決により行なわれることを特徴とする請求項１に記載の映像表示装置に存する。
また、本発明の請求項３に係る発明の要旨は、周囲照度を反映した前記周囲照度センサの前記判別は、前記周囲照度センサの出力を複数の範囲に区分して、該区分に属する前記周囲照度センサの個数に基づき行われることを特徴とする請求項１又は請求項２に記載の映像表示装置に存する。
また、本発明の請求項４に係る発明の要旨は、前記周囲照度センサの個数が最も多く区分された前記区分に属する前記周囲照度センサの出力を有効と判断することを特徴とする請求項３に記載の映像表示装置に存する。
また、本発明の請求項５に係る発明の要旨は、前記有効周囲照度センサ判別手段は、一時的な周囲照度の変化のない状態の周囲照度を、複数備わる前記周囲照度センサの各周囲照度センサ毎に取得する手段と、前記取得された周囲照度の値から周囲照度を反映しない無効な周囲照度センサを選別し、該無効な周囲照度センサを除外する無効周囲照度センサ除外手段を備え、前記画面輝度調整手段は、前記無効周囲照度センサ除外手段により除外された残りの周囲照度センサの出力に基づき周囲照度の平均値を演算する演算手段と、前記演算手段により演算された平均値に基づき画面の輝度を調整する輝度調節手段を備えたことを特徴とする請求項１乃至請求項４のいずれか一項に記載の映像表示装置に存する。
また、本発明の請求項６に係る発明の要旨は、複数の周囲照度を検知して画面輝度を調整する機能を有する映像表示装置の映像輝度調整方法において、前記映像表示装置の周囲照度を検出可能に画面の周辺に分散して周囲照度センサを複数個設け、複数の前記周囲照度センサの出力に基づき、周囲照度を反映した周囲照度センサを判別し、周囲照度を反映していると判別された周囲照度センサの出力に基づき画面の明るさを調整することを特徴とする映像輝度調整方法に存する。
また、本発明の請求項７に係る発明の要旨は、周囲照度を反映した周囲照度センサの前記判別は、多数決により行なわれることを特徴とする請求項６に記載の映像輝度調整方法に存する。
また、本発明の請求項８に係る発明の要旨は、周囲照度を反映した前記周囲照度センサの前記判別は、前記周囲照度センサの出力を複数の範囲に区分して、該区分に属する前記周囲照度センサの個数に基づき行われることを特徴とする請求項６又は請求項７に記載の映像輝度調整方法に存する。
また、本発明の請求項９に係る発明の要旨は、前記周囲照度センサの個数が最も多く区分された前記区分に属する前記周囲照度センサの出力を有効と判断することを特徴とする請求項８に記載の映像輝度調整方法に存する。
また、本発明の請求項１０に係る発明の要旨は、一時的な周囲照度の変化のない状態の周囲照度を複数備わる前記周囲照度センサの各周囲照度センサ毎に取得し、前記取得された周囲照度の値から、周囲照度を適切に反映していないと考えられる無効なフォトセンサを選別し、該無効なフォトセンサからの出力を除外するように周囲照度の演算工程を組み換え、他の有効なフォトセンサの出力のみを使用して周囲照度を演算することを特徴とする請求項６乃至請求項９のいずれか一項に記載の映像輝度調整方法に存する。
【発明の効果】
【００１２】
本発明によれば、複数の周囲照度センサを用いて周囲照度を検知して画面の明るさを調整するように構成された映像表示装置、及びその表示輝度調整方法において、一部の周囲照度センサの出力が他の周囲照度センサの出力と異なっている場合、どの周囲照度センサの出力が部屋の明るさを反映しているかを判定し、判定した周囲照度を基に画面の明るさを調整し、周囲照度に対応した見やすい画面とすることができる。
【発明を実施するための最良の形態】
【００１３】
次に、本発明を実施するための最良の形態を、図面を参照して具体的に説明する。
【００１４】
（第１の実施の形態）
障害物が無ければ、一般に部屋の明るさは複数個の周囲照度センサにほぼ均等に影響を与えると考えられるので、周囲照度の検出レベルが他の多くのフォトセンサとかけ離れているときは、一部の周囲照度センサに何かの影響が作用していると考えられる。このような場合、他とかけ離れたフォトセンサの値は、部屋の明るさを適正に反映していない可能性が高い。したがって、これらフォトセンサ全体の平均出力値を求めても、この平均値は部屋の明るさを適正に反映していない可能性が高い。そこで、本発明による第１の実施の形態では、どの周囲照度センサの出力が部屋の明るさを反映しているかを判定し、判定した周囲照度を基に画面の明るさを調整するようにしている。
【００１５】
図１は、本実施の形態による映像表示装置の制御回路構成図である。
【００１６】
１は映像表示装置を示している。
【００１７】
２−１乃至２−Ｎ（Ｎは正の整数で、フォトセンサの個数を表す）はフォトセンサ（周囲照度センサ）を示し、図７のように、ディスプレイ画面の周辺枠上に設けられている。個数Ｎは画面の大きさなどにより適宜選択される。フォトセンサ２−１乃至２−Ｎは、入力された光を基に、それぞれの場所における周囲照度に対応した信号を出力する。本実施の形態は多数決により周囲照度を決定する点から、Ｎは奇数としておくとよい。しかしながら偶数でもよい。偶数の場合には、同数で２分されたような場合に、周囲照度レベルの大きい方、あるいは小さい方のど
ちらの値を採用するかを予め決めておけばよい。
【００１８】
３はフォトセンサ回路であり、フォトセンサ２−１乃至２−Ｎを所定のサンプリング間隔でサンプリングして出力する。
【００１９】
４は、明るさ状態判定回路（有効周囲照度センサ判別手段）であり、フォトセンサ回路から入力された複数の周囲照度情報を基に、どの周囲照度センサの出力が部屋の明るさを反映しているかを判定し、判定した周囲照度に対応する信号を出力する。
【００２０】
５は輝度制御回路（画面輝度調整手段）、６は映像表示部であり、輝度制御回路５は、明るさ状態判定回路４から入力された信号を基に映像表示部６を駆動する電力を映像表示部に供給する。映像表示部６は液晶パネルとバックライトで構成される液晶表示装置などが使用される。液晶表示装置の場合には、バックライトの輝度を調整することにより画面の明るさを調整する。
【００２１】
本実施の形態では、予め周囲照度レベルを複数の範囲に区分し、フォトセンサ２−１乃至２−Ｎからの入力信号がこれら区分の何処に位置するか、その大きさをグループ分けする。周囲照度レベルが０レベルから最大レベルの間を例えば１０等分する。そして、各グループに属する数が最も多い周囲照度レベルを、実際の周囲照度を反映していると判定し、そのグループのフォトセンサの出力値を平均化して出力する。
【００２２】
図２は、本実施の形態の制御フローチャートである。以下図２を参照して本実施の形態の動作を説明する。
【００２３】
まず本処理を行う前に、複数の周囲照度センサに１から順番に番号を付し、その番号をｎで表すとする。また、周囲照度レベルを０レベルから最大レベルの間まで所定の数に分割して区分すると共に、各区分に属する値を出力するフォトセンサの数を記憶する記憶手段を設ける。
【００２４】
そしてステップＳ１において、周囲照度センサの番号ｎの値を初期化しｎ＝１とし、また、ステップＳ２において、記憶手段に記憶された上記区分に属するフォトセンサの数を０に初期化する。
【００２５】
次に、ステップＳ３に進み、所定のサンプリングタイミングでフォトセンサＮｏ．１の出力をサンプリングする。
【００２６】
次に、ステップＳ４に進み、フォトセンサＮｏ．１の出力が予め区分した周囲照度レベルのどの区分に該当するか判断する。
【００２７】
次に、ステップＳ５に進み、判断された区分とフォトセンサの番号を対応して記憶手段に記憶し、また、該当する区分の数を＋１する。
【００２８】
次にステップＳ６に進み、全てのフォトセンサの出力を区分したかを、フォトセンサの個数Ｎと現在サンプリング中のフォトセンサの番号ｎを比較して判断する。ｎ＜ＮのときはステップＳ７に進み、ｎに１を加算する（ｎ＝ｎ＋１とする）。
【００２９】
次に、ステップＳ３に戻り、所定サンプリングでフォトセンサＮｏ．２の出力をサンプリングする。
【００３０】
以下同様にステップＳ３〜Ｓ７の工程を繰り返し、ステップＳ６においてｎ＝ＮとなったらステップＳ８に進む。
【００３１】
ステップＳ８において、区分けされた周囲照度レベルの各区分に記憶されたフォトセンサの数を参照し、最も数の多い区分に属するフォトセンサの出力を平均化して出力する。
【００３２】
次に、ステップＳ１０において、上記平均化した値の出力により画面輝度を制御する。
【００３３】
上記のように制御することにより、複数のフォトセンサの出力が異なっている場合、各フォトセンサの出力が区分けされた周囲照度レベルの、どのレベルに属するかが調べられて、該当する区分に属するフォトセンサの数がカウントされる。そして最も数の多い区分に属する周囲照度センサの出力が部屋の明るさを反映していると判定され、該判定された周囲照度を基に画面の明るさが調整される。
【００３４】
図３、図４は本実施の形態で制御された結果の画面の状態を示すものである。
【００３５】
図３は、先に述べた図９の周囲照度の状況下にある、フォトセンサ２−４、２−５に何らかの影が当たり暗くなっているときの画面輝度の制御状態である。このとき部屋全体は明るい状態に有る。本実施の形態によれば、５個のフォトセンサのうち、２個のみが暗い状態、３個のフォトセンサが部屋の明るさを反映した明るい状態になっているになっているので、画面は部屋の明るさを反映した３個のフォトセンサの出力の平均が求められ、部屋の明るさに対応して明るい見やすい画面となっている。
【００３６】
また、図４は、先に述べた図８の周囲照度の状況下にある、フォトセンサ２−５部分に何らかの光が当たってこの部分が明るくなっているときの画面輝度の制御状態である。このとき部屋全体は暗い状態に有る。本実施の形態によれば、５個のフォトセンサのうち、１個のみが明るい状態、４個のフォトセンサが部屋の明るさを反映した明るい状態になっているになっているので、画面は部屋の明るさを反映した４個のフォトセンサの出力の平均が求められ、部屋の明るさに対応した暗さになって見やすい画面となっている。
【００３７】
このように、部屋の明るさは複数個の周囲照度センサにほぼ均等に影響を与えると考えられるので、複数個の周囲照度センサの出力が異なっている場合には、同じ周囲照度レベルの区分に属するフォトセンサの数の多い区分の周囲照度の平均値をとることにより、部屋の明るさを画面の明るさに適正に反映させることができる。
【００３８】
（第２の実施の形態）
最近の映像表示装置は大型化して、画面も大きくなっている。このような大画面であると、例えば、その一部が常に家具の陰になって照明が当たらないようになっていることも考えられる。この場合には常に家具の陰になっているフォトセンサの出力は除外して周囲照度を求めたほうが適切である。本発明による第２の実施の形態は、このような状態に有る映像表示装置の画面輝度調整に最適である。
【００３９】
まず、前もって、一時的な周囲照度の変化のない視聴状態の環境において、周囲照度の基礎的なデータを採取し、このデータから、周囲照度を適切に反映していないと考えられる無効なフォトセンサを選別する。そして、無効としたフォトセンサからの出力を除外するように周囲照度の演算工程を組み換え、他の有効なフォトセンサの出力のみを使用して周囲照度を演算するようにしたものである。この基礎的なデータは複数採取してもよい。例えば、昼間の照明の無い環境と、夜間の照明が有る環境における基礎的なデータを採取する。そして実際の視聴時に、視聴者が環境に合わせてこれらを選択できるようにする。このとき定常的に置かれた家具など影響がデータとして採取されて除外されることになる。
【００４０】
図５は、有効なフォトセンサと無効なフォトセンサを選別する制御フローチャートである。図５に示した処理は視聴者の必要に応じて実行される。また、図６は、有効として選別されたフォトセンサを使って周囲照度を算出する演算工程のフローチャートである。図６の処理は、視聴時間中に所定のサンプリングタイミングで実行される。以下、図５、図６を参照して制御動作を説明する。
【００４１】
図５のステップＳ１１において、まず、周囲を視聴状態の環境にする。また、複数の周囲照度センサに１から順番に番号を付し、その番号をｎで表すとする。また、周囲照度レベルを０レベルから最大レベルの間を所定の数に分割して区分すると共に、各区分に属する値を出力するフォトセンサの数を記憶する記憶手段を設けておく。
【００４２】
次に、ステップＳ１１において、周囲照度センサの番号ｎの値を初期化しｎ＝１とし、また、ステップＳ１３において、記憶手段に記憶された上記区分に属するフォトセンサの数を０に初期化する。
【００４３】
次に、ステップＳ１４に進み、所定のサンプリングタイミングでフォトセンサＮｏ．１の出力をサンプリングする。
【００４４】
次に、ステップＳ１５に進み、フォトセンサＮｏ．１の出力が予め区分した周囲照度レベルのどの区分に該当するかを判断する。
【００４５】
次に、ステップＳ１６に進み、判断された区分とフォトセンサの番号を対応して記憶手段に記憶し、また、該当する区分の数を＋１する。
【００４６】
次にステップＳ１７に進み、全てのフォトセンサの出力を区分したかを、フォトセンサの個数Ｎと現在サンプリング中のフォトセンサの番号ｎを比較して判断する。ｎ＜ＮのときはステップＳ１８に進み、ｎに１を加算する（ｎ＝ｎ＋１とする）。
【００４７】
次に、ステップＳ１４に戻り、所定サンプリングでフォトセンサＮｏ．２の出力をサンプリングする。
【００４８】
以下同様にステップＳ１４〜Ｓ１８の工程を繰り返し、ステップＳ１７においてｎ＝ＮとなったらステップＳ１９に進む。
【００４９】
ステップＳ１９では、フォトセンサの出力が複数の区分に分かれているかチェックされる。複数の区分に分かれていない場合には処理終了となる。
【００５０】
ステップＳ１９で、フォトセンサの出力が複数の区分に分かれていると判別されたときはステップＳ２０に進む、ステップＳ２０では無効とするフォトセンサを選別する。この選別は、多数決により、数の少ない方を無効としてもよい。あるいは画面にフォトセンサの出力の一覧を表示し、マニュアルで無効のフォトセンサを選別できるようにしてもよい。
【００５１】
次に、ステップＳ２１に進み、有効となったフォトセンサの出力により周囲照度を演算するように演算工程を組み換える。
【００５２】
次に、図６の処理を説明する。図６のステップＳ２２において、所定サンプリングタイミングで有効とされたフォトセンサの出力をサンプリングする。
【００５３】
次に、ステップＳ２３に進み、フォトセンサの出力を平均化する。この場合、既に有効なフォトセンサを選別しているので、周囲照度レベルの区分けは行わないで、有効なフォトセンサの出力を単に平均化するのみでよい。
【００５４】
次に、ステップＳ２４に進み、上記平均化した値により画面の輝度を制御する。
【００５５】
以上、本第２の実施の形態によれば、常に家具などの陰になっているフォトセンサの出力が除外されて周囲照度が求められるので、部屋の明るさを反映した画面輝度調整を行うことができる。
【００５６】
以上、具体的な実施の形態で説明したが、本発明は上記実施の形態に限定されず、本発明の要旨を逸脱しない範囲で、適宜変更して実施できることは言うまでも無い。
【産業上の利用可能性】
【００５７】
本発明は、テレビ受像機、パソコン、ゲーム機など、各種モニタ画面の明るさ調整に広く利用できる。
【図面の簡単な説明】
【００５８】
【図１】本発明の第１の実施の形態による、映像表示装置の構成図である。
【図２】本発明の第１の実施の形態による、映像表示装置の制御フローチャートである。
【図３】本発明の第１の実施の形態による、画面輝度調整結果の一例を示す図である。
【図４】本発明の第１の実施の形態による、画面輝度調整結果の他の一例を示す図である。
【図５】本発明の第２の実施の形態による、周囲照度の演算に有効なフォトセンサと無効なフォトセンサを選別する制御フローチャートである。
【図６】本発明の第２の実施の形態による、周囲照度の演算に有効として選別されたフォトセンサを使って周囲照度を算出する制御フローチャートである。
【図７】従来、及び本発明で使用する、複数のフォトセンサが設けられた映像表示装置の外観を示す図である。
【図８】従来技術による、画面輝度調整結果の一例を示す図である。
【図９】従来技術による、画面輝度調整結果の他の一例を示す図である。
【符号の説明】
【００５９】
１・・・映像表示装置
２（２−１〜２−Ｎ）・・・フォトセンサ（周囲照度センサ）
３・・・フォトセンサ回路
４・・・明るさ状態判定回路（有効周囲照度センサ判別手段）
５・・・輝度制御回路（画面輝度調整手段）
６・・・映像表示部
７・・・影
８、１０・・・周囲照度レベルを表す明暗
９・・・周囲光
【図１】
2007310096.tif 000003
【図２】
2007310096.tif 000004
【図３】
2007310096.tif 000005
【図４】
2007310096.tif 000006
【図５】
2007310096.tif 000007
【図６】
2007310096.tif 000008
【図７】
2007310096.tif 000009
【図８】
2007310096.tif 000010
【図９】
2007310096.tif 000011